【手続補正書】
【提出日】平成25年10月24日(2013.10.24)
【手続補正１】
【補正対象書類名】特許請求の範囲
【補正対象項目名】全文
【補正方法】変更
【補正の内容】
【特許請求の範囲】
【請求項１】
インクを吐出するための複数のノズルを配列してなるノズル列を備えた記録ヘッドと、前記記録ヘッドを前記複数のノズルの配列方向と交差する走査方向に往復走査させる走査手段と、
前記ノズル列の第１部のノズルと前記第１部と別の第２部のノズルとの前記走査方向における記録位置の第１の調整に関わる第１の調整パターンと、前記記録ヘッドの往走査による記録位置と復走査による記録位置との第２の調整に関わる第２の調整パターンと、を前記記録ヘッドに記録媒体へ記録させる記録制御手段と、
前記第１の調整を行うための前記第１のパターンに基づく前記第１の調整値と、前記第２の調整を行うための前記第２のパターンに基づく前記第２の調整値と、を取得する取得手段と、を有する記録装置であって、
前記記録制御手段は、前記第１のパターンの一部を前記ノズル列の前記第１部のノズルを用い、前記第２のパターンの一部を前記ノズル列の前記第１部および前記第２部のノズルと異なる第３部のノズルを用いて、前記走査手段による前記記録ヘッドの同じ走査で記録し、かつ前記第１のパターンと前記第２のパターンとを前記ノズルの配列方向に並べて記録媒体に前記記録媒体へ記録させることを特徴とする記録装置。
【請求項２】
前記記録制御手段は、前記第１のパターンの一部を記録する前記記録ヘッドの走査の方向と逆の方向への前記記録ヘッドの走査で、前記第１のパターンの一部とともに前記第１のパターンを構成する前記第１のパターンの他部を前記記録ヘッドに前記記録媒体へ記録させることを特徴とする請求項１に記載の記録装置。
【請求項３】
前記記録制御手段は、前記第２のパターンの一部を記録する前記記録ヘッドの走査の方向と同じ方向への前記記録ヘッドの走査で、前記第２のパターンの一部とともに前記第１のパターンを構成する前記第２のパターンの他部を、前記記録ヘッドに前記第３部のノズルを用いて前記記録媒体へ記録させることを特徴とする請求項１または２に記載の記録装置。
【請求項４】
前記走査方向と交差する搬送方向に前記記録媒体を搬送する搬送手段をさらに有し、
前記搬送手段は、前記第１のパターンの一部と、前記第２のパターンの一部および前記他部と、が前記記録制御手段による制御で前記記録ヘッドによって記録された前記記録媒体を、前記第１のパターンの他部が前記記録媒体の前記第１のパターンの一部が記録された領域に前記第２部のノズルにより記録されるように前記記録媒体を搬送することを特徴とする請求項１乃至３のいずれか１項に記載の記録装置。
【請求項５】
前記記録制御手段は、前記第１のパターンの一部を記録する前記記録ヘッドの走査の方向と逆の方向への前記記録ヘッドの走査で、前記記録ヘッドに前記第２のパターンの記録をさせずに前記第１のパターンの他部を記録させることを特徴とする請求項２乃至４のいずれか１項に記載の記録装置。
【請求項６】
前記第１部は、前記ノズル列の前記搬送方向における上流側の端側の部位であり、前記第２部は、前記ノズル列の前記搬送方向における下流側の端側の部位であることを特徴とする請求項１乃至５のいずれか１項に記載の記録装置。
【請求項７】
前記ノズル列の前記第３部は、前記第１部と前記第２部との間の部位であることを特徴とする請求項１乃至６のいずれか１項に記載の記録装置。
【請求項８】
前記第１および第２のパターンを光学的に測定する光学センサをさらに有し、前記取得手段は前記光学センサによる前記第１および第２のパターンの測定結果に基づいて、前記第１の調整値と、前記第２の調整値と、を取得することを特徴とする請求項１乃至７のいずれか１項に記載の記録装置。
【請求項９】
前記取得手段はユーザーからの前記第１および第２のパターンに関わる情報の入力に応じて、前記第１の調整値と、前記第２の調整値と、を取得することを特徴とする請求項１乃至８のいずれか１項に記載の記録装置。
【請求項１０】
インクを吐出するための複数のノズルを配列してなるノズル列を備えた記録ヘッドを前記複数のノズルの配列方向と交差する走査方向に往復走査させながら記録を行うために、前記ノズル列の第１部のノズルと前記第１部と別の第２部のノズルとの前記走査方向における記録位置の第１の調整に関わる第１の調整パターンと、前記記録ヘッドの往走査による記録位置と復走査による記録位置との第２の調整に関わる第２の調整パターンと、を前記記録ヘッドに記録媒体へ記録させる工程と、前記第１の調整を行うための前記第１のパターンに基づく前記第１の調整値と、前記第２の調整を行うための前記第２のパターンに基づく前記第２の調整値と、を取得する取得工程と、を有する記録ヘッドの記録位置の調整方法であって、
前記記録工程では、前記第１のパターンの一部を前記ノズル列の前記第１部のノズルを用い、前記第２のパターンの一部を前記ノズル列の前記第１部および前記第２部のノズルと異なる第３部のノズルを用いて、前記記録ヘッドの同じ前記走査で記録し、かつ前記第１のパターンと前記第２のパターンとを前記ノズルの配列方向に並べて記録媒体に前記記録媒体へ記録することを特徴とする記録位置の調整方法。
【手続補正２】
【補正対象書類名】明細書
【補正対象項目名】００１２
【補正方法】変更
【補正の内容】
【００１２】
本発明は、上述の課題を鑑みて成されたものであって、インクを吐出するための複数のノズルを配列してなるノズル列を備えた記録ヘッドと、前記記録ヘッドを前記複数のノズルの配列方向と交差する走査方向に往復走査させる走査手段と、前記ノズル列の第１部のノズルと前記第１部と別の第２部のノズルとの前記走査方向における記録位置の第１の調整に関わる第１の調整パターンと、前記記録ヘッドの往走査による記録位置と復走査による記録位置との第２の調整に関わる第２の調整パターンと、を前記記録ヘッドに記録媒体へ記録させる記録制御手段と、前記第１の調整を行うための前記第１のパターンに基づく前記第１の調整値と、前記第２の調整を行うための前記第２のパターンに基づく前記第２の調整値と、を取得する取得手段と、を有する記録装置であって、前記記録制御手段は、前記第１のパターンの一部を前記ノズル列の前記第１部のノズルを用い、前記第２のパターンの一部を前記ノズル列の前記第１部および前記第２部のノズルと異なる第３部のノズルを用いて、前記走査手段による前記記録ヘッドの同じ走査で記録し、かつ前記第１のパターンと前記第２のパターンとを前記ノズルの配列方向に並べて記録媒体に前記記録媒体へ記録させることを特徴とする。
【手続補正３】
【補正対象書類名】明細書
【補正対象項目名】００１３
【補正方法】変更
【補正の内容】
【００１３】
また、インクを吐出するための複数のノズルを配列してなるノズル列を備えた記録ヘッドを前記複数のノズルの配列方向と交差する走査方向に往復走査させながら記録を行うために、前記ノズル列の第１部のノズルと前記第１部と別の第２部のノズルとの前記走査方向における記録位置の第１の調整に関わる第１の調整パターンと、前記記録ヘッドの往走査による記録位置と復走査による記録位置との第２の調整に関わる第２の調整パターンと、を前記記録ヘッドに記録媒体へ記録させる工程と、前記第１の調整を行うための前記第１のパターンに基づく前記第１の調整値と、前記第２の調整を行うための前記第２のパターンに基づく前記第２の調整値と、を取得する取得工程と、を有する記録ヘッドの記録位置の調整方法であって、前記記録工程では、前記第１のパターンの一部を前記ノズル列の前記第１部のノズルを用い、前記第２のパターンの一部を前記ノズル列の前記第１部および前記第２部のノズルと異なる第３部のノズルを用いて、前記記録ヘッドの同じ前記走査で記録し、かつ前記第１のパターンと前記第２のパターンとを前記ノズルの配列方向に並べて記録媒体に前記記録媒体へ記録することを特徴とする。